(57)【特許請求の範囲】
【請求項１】
家屋に配線された信号線と、この信号線に接続された主制御手段と、前記信号線に接続され、前記主制御手段との間でデータの授受を行う検出装置と、前記家屋の扉或いは窓の開閉に応じてＯＮ−ＯＦＦ状態が変化するスイッチとを備え、
前記検出装置は、自らのＩＤコードを保有した記憶手段と、信号線を介して前記主制御手段とデータの授受を行う送受信手段と、前記スイッチの状態を取り込んでデータとして前記記憶手段に書き込み、前記送受信手段により前記記憶手段内のデータを前記主制御手段に送信する端末側制御手段と、蓄電素子とを備え、
前記データが高電位となっている間はそのまま前記各手段に給電が成され、前記蓄電素子にも充電され、前記データが低電位となっている間は前記蓄電素子からの放電により前記各手段の電源が賄われることを特徴とする家屋の管理システム。
【請求項２】
信号線に接続され、家屋に設置される機器の運転を制御するスイッチング素子を備え、
このスイッチング素子は、前記機器の運転を制御するスイッチング手段と、自らのＩＤコードを保有した記憶手段と、信号線を介して主制御手段とデータの授受を行う送受信手段と、この送受信手段にて受信した主制御手段からのデータに基づいて前記スイッチング手段を制御する端末側制御手段とを備えていることを特徴とする請求項１の家屋の管理システム。
【請求項３】
扉或いは窓の施錠装置と、信号線に接続され、前記施錠装置を制御するスイッチング素子を備え、
このスイッチング素子は、前記施錠装置の施錠・解錠を制御するスイッチング手段と、自らのＩＤコードを保有した記憶手段と、信号線を介して主制御手段とデータの授受を行う送受信手段と、この送受信手段にて受信した主制御手段からのデータに基づいて前記スイッチング手段を制御する端末側制御手段とを備えていることを特徴とする請求項１又は請求項２の家屋の管理システム。
【請求項４】
スイッチング手段、記憶手段、送受信手段及び端末側制御手段とを備え、この端末側制御手段は、出力モード及び入力モードを有し、出力モードでは前記送受信手段にて受信した主制御手段からのデータに基づいて前記スイッチング手段を制御し、入力モードでは、前記スイッチング手段をＯＦＦ状態としてスイッチの状態を取り込むスイッチングチップからスイッチング素子及び検出装置を構成したことを特徴とする請求項２又は請求項３の家屋の管理システム。
【請求項５】
主制御手段は表示手段を備え、検出装置からのデータにより扉若しくは窓の開放を検出した場合には、前記表示手段にその旨の所定の表示を行うことを特徴とする請求項１、請求項２、請求項３又は請求項４の家屋の管理システム。
【請求項６】
警報装置と、信号線に接続され、前記警報装置を制御するスイッチング素子を備え、
このスイッチング素子は、前記警報装置の動作を制御するスイッチング手段と、自らのＩＤコードを保有した記憶手段と、信号線を介して主制御手段とデータの授受を行う送受信手段と、この送受信手段にて受信した主制御手段からのデータに基づいて前記スイッチング手段を制御する端末側制御手段とを備えると共に、主制御手段は、検出装置からのデータにより、扉若しくは窓の開放を検出した場合には、前記スイッチング素子により、前記警報装置を動作させることを特徴とする請求項１、請求項２、請求項３、請求項４又は請求項５の家屋の管理システム。
【発明の詳細な説明】
【０００１】
【発明の属する技術分野】
本発明は、家屋の扉や窓の開閉、或いは、家屋に取り付けられる機器の管理を行うシステムに関するものである。
【０００２】
【従来の技術】
従来より家屋のホームオートメーションシステムにおいては、空気調和機（エアコン）や照明、風呂などの動作を電話回線などの通信手段を用いて外部から制御する方式が採られている。また、家屋のセキュリティーシステムにおいては、室内の温度（火災報知用）や窓の開閉などをセンサー（侵入者検知用）を用いて検出し、これも電話回線などを用いて外部に通報するものであった。
【０００３】
【発明が解決しようとする課題】
しかしながら、上述の如きホームオートメーションやセキュリティーシステムを構築する場合には、扉や窓、或いは、個々の機器に対して家屋内に制御用の配線を張り巡らさなければならず、配線作業が煩雑且つ高価となると共に、建築後に取り付ける場合には、多数の配線によって室内の見栄えが悪化する問題もあった。
【０００４】
本発明は、係る従来の技術的課題を解決するために成されたものであり、ホームセキュリティーやホームオートメーションを構築する上で、配線を簡素化することにより、著しい作業性の向上とコストの削減を図ることができる家屋の管理システムを提供するものである。
【０００５】
【課題を解決するための手段】
本発明の家屋の管理システムは、家屋に配線された信号線と、この信号線に接続された主制御手段と、信号線に接続され、主制御手段との間でデータの授受を行う検出装置と、家屋の扉或いは窓の開閉に応じてＯＮ−ＯＦＦ状態が変化するスイッチとを備え、検出装置は、自らのＩＤコードを保有した記憶手段と、信号線を介して主制御手段とデータの授受を行う送受信手段と、スイッチの状態を取り込んでデータとして記憶手段に書き込み、送受信手段により記憶手段内のデータを主制御手段に送信する端末側制御手段、蓄電素子とを備え、データが高電位となっている間はそのまま各手段に給電が成され、蓄電素子にも充電され、データが低電位となっている間は蓄電素子からの放電により各手段の電源が賄われることを特徴とする。
【０００６】
本発明によれば、検出装置の端末側制御手段は、スイッチのＯＮ−ＯＦＦ状態を取り込んでデータとして記憶手段に書き込み、送受信手段により信号線を介して主制御手段にこのデータを送信するので、主制御手段は支障無く家屋の扉や窓の開閉状態を監視することができる。
【０００７】
この場合、検出装置は記憶手段に自らのＩＤコードを保有しているので、信号線に検出装置を接続することにより主制御手段は検出装置を識別できるようになり、検出装置の配線は完了する。これらにより、所謂プラグインによって検出装置を配線することが可能となり、著しい配線の簡素化を図ることが可能となる。また、検出装置の数などに係わらず主制御手段には共通のソフトウエアを使用することが可能となるので、共通化によるコストの著しい削減を図ることも可能となる。また、蓄電素子を備えており、データが高電位となっている間はそのまま各手段に給電が成され、蓄電素子にも充電され、データが低電位となっている間は蓄電素子からの放電により各手段の電源が賄われるので、信号線を介した給電によって検出装置は支障無く動作できるものである。
【０００８】
請求項２の発明の家屋の管理システムは、上記において信号線に接続され、家屋に設置される機器の運転を制御するスイッチング素子を備え、このスイッチング素子は、機器の運転を制御するスイッチング手段と、自らのＩＤコードを保有した記憶手段と、信号線を介して主制御手段とデータの授受を行う送受信手段と、この送受信手段にて受信した主制御手段からのデータに基づいてスイッチング手段を制御する端末側制御手段とを備えていることを特徴とする。
【０００９】
請求項２の発明によれば、上記に加えてスイッチング素子の端末側制御手段は、信号線を介して送受信手段により受信した主制御手段からのデータに基づきスイッチング手段を制御するので、主制御手段は支障無く家屋に設置される機器の運転を制御することができる。
【００１０】
この場合も、スイッチング素子は記憶手段に自らのＩＤコードを保有しているので、信号線にスイッチング素子を接続することにより主制御手段はスイッチング素子を識別できるようになり、スイッチング素子の配線は完了する。これにより、所謂プラグインによってスイッチング素子を配線することが可能となり、著しい配線の簡素化を図ることが可能となる。また、スイッチング素子の数などに係わらず主制御手段には共通のソフトウエアを使用できるので、共通化によるコストの更なる削減を図ることも可能となる。
【００１１】
請求項３の発明の家屋の管理システムは、上記各発明において扉或いは窓の施錠装置と、信号線に接続され、施錠装置を制御するスイッチング素子を備え、このスイッチング素子は、施錠装置の施錠・解錠を制御するスイッチング手段と、自らのＩＤコードを保有した記憶手段と、信号線を介して主制御手段とデータの授受を行う送受信手段と、この送受信手段にて受信した主制御手段からのデータに基づいてスイッチング手段を制御する端末側制御手段とを備えていることを特徴とする。
【００１２】
請求項３の発明によれば、上記各発明に加えて扉或いは窓の施錠装置を設け、スイッチング素子の端末側制御手段により、信号線を介して送受信手段により受信した主制御手段からのデータに基づき施錠装置を制御するスイッチング手段を制御するようにしたので、主制御手段は支障無く家屋の扉や窓の施錠・解錠を制御することができる。
【００１３】
この場合も、スイッチング素子は記憶手段に自らのＩＤコードを保有しているので、信号線にスイッチング素子を接続することにより主制御手段はスイッチング素子を識別できるようになり、スイッチング素子の配線は完了する。これにより、所謂プラグインによってスイッチング素子を配線することが可能となり、著しい配線の簡素化を図ることが可能となる。また、スイッチング素子の数などに係わらず主制御手段には共通のソフトウエアを使用できるので、共通化によるコストの更なる削減を図ることも可能となる。
【００１４】
請求項４の発明の家屋の管理システムは、請求項２又は請求項３においてスイッチング手段、記憶手段、送受信手段及び端末側制御手段とを備え、この端末側制御手段は、出力モード及び入力モードを有し、出力モードでは送受信手段にて受信した主制御手段からのデータに基づいてスイッチング手段を制御し、入力モードでは、スイッチング手段をＯＦＦ状態としてスイッチの状態を取り込むスイッチングチップからスイッチング素子及び検出装置を構成したことを特徴とする。
【００１５】
請求項４の発明によれば、検出装置を構成するスイッチング素子の端末側制御手段を入力モードとした場合には請求項１の如き主制御手段による家屋の扉や窓の開閉状態監視を実現できると共に、出力モードとすれば、信号線を介して送受信手段により受け取った主制御手段からのデータに基づき、スイッチング手段を制御するので、主制御手段は請求項２又は請求項３の如く支障無く家屋の機器や扉や窓の施錠装置の制御を実行することができる。
【００１６】
即ち、家屋の機器の運転や、扉や窓の施錠装置の制御を行うためのスイッチング素子を、扉や窓の開閉状態監視を行う検出装置として兼用することができるようになり、部品の共通化による更なるコストの削減が達成されるものである。
【００１７】
請求項５の発明の家屋の管理システムは、上記各発明において主制御手段は表示手段を備え、検出装置からのデータにより扉若しくは窓の開放を検出した場合には、表示手段にその旨の所定の表示を行うことを特徴とする。
【００１８】
請求項５の発明によれば、上記各発明に加えて主制御手段は表示手段を備えており、検出装置からのデータにより扉若しくは窓の開放を検出した場合には、表示手段にその旨の所定の表示を行うようにしたので、住人や警備員などは扉や窓が開放されたことを的確に把握し、泥棒の侵入などの発生を未然に回避することができるようになる。
【００１９】
請求項６の発明の家屋の管理システムは、上記各発明において警報装置と、信号線に接続され、警報装置を制御するスイッチング素子を備え、このスイッチング素子は、警報装置の動作を制御するスイッチング手段と、自らのＩＤコードを保有した記憶手段と、信号線を介して主制御手段とデータの授受を行う送受信手段と、この送受信手段にて受信した主制御手段からのデータに基づいてスイッチング手段を制御する端末側制御手段とを備えると共に、主制御手段は、検出装置からのデータにより、扉若しくは窓の開放を検出した場合には、スイッチング素子により、警報装置を動作させることを特徴とする。
【００２０】
請求項６の発明によれば、上記各発明に加えて警報装置を設け、スイッチング素子の端末側制御手段により、信号線を介して送受信手段により受信した主制御手段からのデータに基づき警報装置を制御するスイッチング手段を制御するようにしたので、家屋の主制御手段は支障無く警報装置を制御することができる。
【００２１】
この場合も、スイッチング素子は記憶手段に自らのＩＤコードを保有しているので、信号線にスイッチング素子を接続することにより主制御手段はスイッチング素子を識別できるようになり、スイッチング素子の配線は完了する。これにより、所謂プラグインによってスイッチング素子を配線することが可能となり、著しい配線の簡素化を図ることが可能となる。また、スイッチング素子の数などに係わらず主制御手段には共通のソフトウエアを使用できるので、共通化によるコストの更なる削減を図ることも可能となる。
【００２２】
そして、主制御手段は、検出装置からのデータにより、扉や窓の開放を検出した場合には、スイッチング素子により、警報装置を動作させるので、例えば夜間に扉や窓の開閉が行われた場合などに、警報装置にてその旨を住人や警備員に通報することができるようになる。
【００２３】
【発明の実施の形態】
以下、図面に基づき本発明の実施形態を詳述する。図１は家屋１の概略透視図を示している。図において、家屋１内には例えばブザーなどから成る警報装置７が取り付けられ、玄関扉４には後述する扉スイッチ２０や施錠装置１６が取り付けられている。
【００２４】
また、家屋１内には、温度センサ２７が取り付けられていると共に、家屋１内の環境を冷却及び暖房することによって設定温度に調整することができる空調システム１３が取り付けられている。更に、家屋１内に区画された図示しない風呂場の浴槽に温水を供給するための風呂用の水道管には弁装置８が取り付けられている。
【００２５】
そして、家屋１にはこれら警報装置７、施錠装置１６、弁装置８及び空調システム１３などの機器の主制御手段としてのコントロールボックス９が設けられ、このコントロールボックス９の操作パネル１１は家屋１の室内壁面などに取り付けられている。
【００２６】
次に、図２を参照して家屋１の電気系の配線を説明する。２１は家屋１内に配線されたＡＣ電源線であり、２２はデータの授受を行うための信号線である。ＡC電源線２１と信号線２２には前記コントロールボックス９が接続されると共に、空調システム１３の駆動基板２３、前記警報装置７、施錠装置１６、前記風呂の水道管の弁装置８の電源基板２４及び玄関扉４の開閉を検出するための扉スイッチ２０の電源基板２６はＡＣ電源線２１に接続される。
【００２７】
ここで、ＡＣ電源線２１及び信号線２２には、複数のコネクタ（接続部）が家屋１の各室に予め取り付けられており、実施例に挙げる機器の他にも取り付けることができるものとする。
【００２８】
また、信号線２２には火災報知用のチップ状温度センサ２７と、前記駆動基板２３、電源基板２４、２６にそれぞれ取り付けられたチップ状のスイッチング素子２８・・がそれぞれコネクタを介して接続される。尚、電源基板２４にはスイッチング素子２８を一つ示しているが、実際には警報装置７、施錠装置１６及び弁装置８に対してそれぞれ設けられる。
【００２９】
尚、実施例ではこれら駆動基板２３、電源基板２４、２６が空調システム１３や警報装置７、施錠装置１６、弁装置８及び扉スイッチ２０と別体で構成されたものを示しているが、これら駆動基板２３と電源基板２４、２６をそれぞれのスイッチング素子２８と共に空調システム１３や警報装置７、施錠装置１６、弁装置８及び扉スイッチ２０に内蔵させた構成としても良い。また、空調システム１３においては温度センサ２７も内蔵することができる。
【００３０】
係る構成によれば、空調システム１３や警報装置７、施錠装置１６、弁装置８及び扉スイッチ２０に内蔵された各スイッチング素子２８や温度センサ２７を信号線２２のコネクタに接続するだけでこれら取付部品の配線が完了するかたちとなるため、組立・配線作業性が一段と向上する。
【００３１】
前記コントロールボックス９の構成を図３に示す。コントロールボックス９には主制御手段を構成するコントローラ（基板）３６が設けられている。このコントローラ３６は、ＣＰＵ（マイクロコンピュータ）３１、記憶手段としてのメモリ３２、Ｉ／Ｏインターフェース３３及び送受信手段としてのバスＩ／Ｏインターフェース３４などから構成されている。また、コントロールボックス９には液晶表示パネルから構成された表示器３７と、入力手段（キーボード、マウスなど）としてのスイッチ３８と、切換手段としての切換器３９などが設けられており、前記表示器３７とスイッチ３８はＩ／Ｏインターフェース３３に接続されて居間などに設けられた図示しない操作パネルに配設される。
【００３２】
また、前記バスＩ／Ｏインターフェース３４は前記切換器３９を介して信号線２２に接続され、信号線２２を介して前記温度センサ２７、スイッチング素子２８・・・とデータの授受を行う。切換器３９には通信線４２を介して外部のパソコンＰ（ディスプレイ・キーボード・マウスなどを備えた外部制御装置）や外部の電話回線に接続されたモデムＭなどが接続される。
【００３３】
切換器３９は常にはバスＩ／Ｏインターフェース３４と信号線２２を接続しているが、コントローラ３６やパソコンＰからの指示などにより、バスＩ／Ｏインターフェース３４（即ちコントロールボックス９）を信号線２２から切り離し、パソコンＰやモデムＭに接続すると共に、パソコンＰを信号線２２に接続する働きをする。
【００３４】
尚、コントローラ３６には温度センサ２７やスイッチング素子２８・・・やパソコンＰとデータ通信を行うための所定の通信プロトコルや後述する温度センサ２７やスイッチング素子２８・・・をサーチして識別するためのソフトウエア、表示器３７への表示画像データなどが設定されている。
【００３５】
パソコンＰにも温度センサ２７やスイッチング素子２８・・やコントローラ３６とデータ通信を行うための所定の通信プロトコルや後述する温度センサ２７やスイッチング素子２８・・をサーチして識別するためのソフトウエアなどが設定されているものとする。
【００３６】
次ぎに、前記温度センサ２７の構成を図４に示す。温度センサ２７は、センサ側制御手段としてのＣＰＵ４３と、記憶手段としてのメモリ４４と、送受信手段としてのＩ／Ｏインターフェース４６と、Ａ／Ｄ変換器４７と、このＡ／Ｄ変換器４７に接続された検出素子としてのセンサ部４８と、蓄電素子としてのコンデンサ４９と、整流素子としてのダイオード５１などから構成されている。
【００３７】
この場合、コンデンサ４９はダイオード５１の出力側に接続され、このダイオード５１とコンデンサ４９との接続点に各素子が接続されている。信号線２２には例えば＋５Ｖの電位（高電位）が印加されており、データはこの高電位から例えば０Ｖの低電位に下がるパルスにて構成される。
【００３８】
そして、温度センサ２７が信号線２２に接続されると、データを構成する高電位と低電位のパルス信号が高電位となっている間はそのまま各素子に給電が成され、コンデンサ４９にも充電される。そして、低電位となっている間はコンデンサ４９から放電され、各素子の電源が賄われる構成とされている。
【００３９】
尚、温度センサ２７にはＶｃｃ（ＤＣ＋５Ｖ）電源端子４５も設けられ、ダイオード５１とコンデンサ４９との接続点に接続されており、温度センサ２７は、このＶｃｃ電源端子４５を電源線に接続すれば、各素子は電源線からの給電によっても動作することができるように構成されている。即ち、その場合にはコンデンサ４９に充電すること無く、各素子は動作するようになるので、検査時などの温度センサ２７を迅速に動作させたい場合に利便性が向上する。
【００４０】
また、ＣＰＵ４３はセンサ部４８が検出する温度データをＡ／Ｄ変換器４７を介して取り込み、一旦メモり４４に書き込む。そして、Ｉ／Ｏインターフェース４６により、信号線２２を介してコントローラ３６からポーリングされると、メモリ４４に書き込まれた温度データをＩ／Ｏインターフェース４６により信号線２２を介してコントローラ３６に送信する。
【００４１】
ここで、メモリ４４には温度センサ２７自体のＩＤコードやセンサである旨の識別データ、警報温度などの設定値データ及びコントローラ３６との間のデータ通信を行うためのプロトコルなどが記憶されている。また、温度センサ２７において故障が生じている場合には当該故障データもメモリ４４に書き込まれ、コントローラ３６に送信される。
【００４２】
一方、前記空調システム１３、警報装置７、施錠装置１６及び弁装置８をそれぞれ制御するために駆動基板２３と電源基板２４上に設けられた前記スイッチング素子２８の構成を図５に示す。スイッチング素子２８は、端末側制御手段としてのＣＰＵ５８と、記憶手段としてのメモリ５９と、送受信手段としてのＩ／Ｏインターフェース６１と、ドライバとしてのＩ／Ｏインターフェース６２と、このＩ／Ｏインターフェース６２に接続されたスイッチング手段としてのトランジスタ６３と、蓄電素子としてのコンデンサ６４と、整流素子としてのダイオード６６、６７などから構成されている。
【００４３】
この場合、コンデンサ６４はダイオード６６の出力側に接続され、このダイオード６６とコンデンサ６４との接続点に各素子が接続されている。スイッチング素子２８が信号線２２に接続されると、前述の如くデータを構成する高電位と低電位のパルス信号が高電位となっている間はそのまま各素子に給電が成され、コンデンサ６４にも充電される。そして、低電位となっている間はコンデンサ６４から放電され、各素子の電源が賄われる構成とされている。
【００４４】
尚、スイッチング素子２８にも図５に破線で示す如く、ダイオード６６とコンデンサ６４との接続点に接続されたＶｃｃ（ＤＣ＋５Ｖ）電源端子５５を設け、このＶｃｃ電源端子５５を電源線に接続すれば、スイッチング素子２８の各素子は電源線からの給電によっても動作することができるようになる。即ち、その場合にはコンデンサ６４に充電すること無く、各素子は動作するようになるので、検査時などのスイッチング素子２８を迅速に動作させたい場合に利便性が向上する。
【００４５】
また、ＣＰＵ５８は出力モードと入力モードに切り換え設定可能とされており、駆動基板２３、電源基板２４上に設けられたスイッチング素子２８は出力モードとされている。この出力モードにおいてはＩ／Ｏインターフェース６１により、信号線２２を介してコントローラ３６からＯＮ／ＯＦＦデータが送信されると、このＯＮ／ＯＦＦデータに基づき、Ｉ／Ｏインターフェース６２によりトランジスタ６３をＯＮ／ＯＦＦする。また、このトランジスタ６３のコレクタ端子（図５にＳ２で示す）とＩ／Ｏインターフェース６２間はダイオード６７を介して接続される。
【００４６】
ここで、メモリ５９にはスイッチング素子２８自体のＩＤコードやスイッチング素子である旨の識別データ及びコントローラ３６との間のデータ通信を行うためのプロトコルなどが記憶されている。また、スイッチング素子２８において故障が生じている場合には当該データもメモリ５９に書き込まれ、コントローラ３６に送信される。
【００４７】
係るスイッチング素子２８は駆動基板２３、電源基板２４上において図６の如く配線されてスイッチングユニット６８を構成する。即ち、６９はフォトダイオード６９Ａとフォトトライアック６９Ｂから成るフォトカプラであり、７１は抵抗、７２は整流素子としてのダイオード、７３は蓄電素子としてのコンデンサ７４である。
【００４８】
この場合、コンデンサ７４はダイオード７２の出力側に接続され、このダイオード７２とコンデンサ７４との接続点とスイッチング素子２８のトランジスタ６３のコレクタ端子（図５のＳ２）間に抵抗７１とフォトダイオード６９Ａが直列に接続される。また、スイッチング素子２８の端子Ｓ１（図５）はダイオード７２の手前に接続される。そして、フォトトライアック６９ＢはＡＣ電源線と空調システム１３、警報装置７、施錠装置１６、弁装置８間にそれぞれ介設される。
【００４９】
ダイオード７２が信号線２２に接続されると、データを構成する高電位と低電位のパルス信号が高電位となっている間はそのまま抵抗７１を介してフォトダイオード６９Ａに給電が成され、コンデンサ７４にも充電される。そして、低電位となっている間はコンデンサ７４から放電されて、フォトダイオード６９Ａの電源を賄う構成とされている。
【００５０】
尚、同様にダイオード７２とコンデンサ７４の接続点にＶｃｃ電源端子６０を接続し、このＶｃｃ電源端子６０を電源線に接続すれば、フォトダイオード６９Ａは電源線からの給電によっても動作することができるようになる。即ち、その場合にはコンデンサ７４に充電すること無く、各素子は動作するようになるので、検査時などに迅速に動作させたい場合に利便性が向上する。
【００５１】
次に、電源基板２６に取り付けられて検出装置として使用されるスイッチング素子２８の構成を図７に示す。尚、スイッチング素子２８自体の構成は図５と同一であるため、説明は省略する。この場合、スイッチング２８のトランジスタ６３のコレクタ端子（図７の端子Ｓ２）、即ち、ダイオード６７の入力側は、Ｖｃｃ電源と接地間に直列接続された抵抗７６と扉スイッチ２０との接続点に接続される。尚、このＶｃｃ電源は電源基板２６の図示しないＤＣ電源装置にてＡＣ電源より生成される。
【００５２】
この扉スイッチ２０は扉４が開放されると接点を開き（ＯＦＦ）、扉４が閉じられると接点を閉じる（ＯＮ）ものである。スイッチング素子２８は係る扉スイッチ２０に接続され、扉スイッチ２０と共に扉センサを構成する。
【００５３】
尚、この場合ＣＰＵ５８は入力モードに設定される。この入力モードにおいてはＣＰＵ５８はトランジスタ６３をＯＦＦ状態としてその動作を無効と成すと共に、端子Ｓ２の電位をダイオード６７を介して取り込む。そして、この端子Ｓ２の電位が高電位「Ｈ」であるか低電位「Ｌ」であるかをメモリ５９に書き込む。
【００５４】
そして、Ｉ／Ｏインターフェース６１により、信号線２２を介してコントローラ３６からポーリングされると、メモリ５９に書き込まれた「Ｈ」・「Ｌ」のデータ（扉スイッチの状態に関するデータ）をＩ／Ｏインターフェース６１により信号線２２を介してコントローラ３６に送信する。
【００５５】
以上の構成で、動作を説明する。先ず、切換器３９はバスＩ／Ｏインターフェース３４を信号線２２に接続しているものとする。温度センサ２７やスイッチング素子２８・・が信号線２２に接続されたものとすると、コントローラ３６（のＣＰＵ３１）は先ず信号線２２への各素子（温度センサ２７、スイッチング素子２８・・）の接続状況をスキャンする。
【００５６】
このスキャン動作は図９に示す手順で温度センサ２７や各スイッチング素子２８のＩＤコードを読み出すことによって行われる。先ず、温度センサ２７とスイッチング素子２８・・（ここでは三つ示す）のＩＤコードが以下に示す如き６４ビットのものであったとする。
【００５７】
ビット                  ０１２３４５６７８・・・・・・６３
温度センサ２７          ００１１０００００・・・・・・０
スイッチング素子２８    １０１１０００００・・・・・・０
スイッチング素子２８    １１０００００００・・・・・・０
スイッチング素子２８    ００１００００００・・・・・・０
【００５８】
コントローラ３６（ＣＰＵ３１）は最初に通信コマンドを各温度センサ２７やスイッチング素子２８・・に送信し、各温度センサ２７やスイッチング素子２８・・はＯＫコマンドを返信する。次に、コントローラ３６がＩＤ検索コマンドを送信すると、温度センサ２７やスイッチング素子２８・・のＣＰＵ４３、５８はメモリ４４、５９に記憶されている自らのＩＤコードから、応答１として０ビット目を返信し、その補数を応答２として以下の如く返信する。尚、実際には、０ビット目が０の場合は信号線２２の接続端子を「Ｌ」とし、１の場合には端子を「Ｈ」とする。
【００５９】
ビット０                応答１    応答２
温度センサ２７          ０        １
スイッチング素子２８    １        ０
スイッチング素子２８    １        ０
スイッチング素子２８    ０        １
論理積                  ０        ０
【００６０】
コントローラ３６はその論理積から判定を行い、各温度センサ２７及びスイッチング素子２８・・の０ビット目に０と１が存在することを判定する。尚、実際には信号線２２に接続された各温度センサ２７、スイッチング素子２８・・の接続端子の中に「Ｌ」が一つでもあれば信号線２２は「Ｌ」となり、全て「Ｈ」なら「Ｈ」となる。コントローラ３６はこの信号線２２の電位を判断するので、結果として論理積の情報をコントローラ３６が検出することになる。
【００６１】
そこで、コントローラ３６は１ビット目の検索コマンド０、１を送信する。このとき、０を送信した場合には、０ビット目が０の温度センサ２７或いはスイッチング素子２８・・のみ１ビット目を返信し、１を送信したときには、０ビット目が１のもののみ１ビット目を返信するように構成されている。
【００６２】
従って、１ビット目の検索時における０に対する応答は以下の如く、温度センサ２７と３番目のスイッチング素子２８から為される。
【００６３】
ビット１              応答１    応答２
温度センサ２７        ０          １
スイッチング素子２８
スイッチング素子２８
スイッチング素子２８  ０          １
論理積                ０          １
【００６４】
コントローラ３６はその論理積から判定を行い、この場合の１ビット目に０のみ存在することを判定する。従って、００のＩＤコードのものがあることが確定する。
【００６５】
また、１ビット目の検索時における１に対する応答は以下の如く、１番目のスイッチング素子２８と２番目のスイッチング素子２８から為される。
【００６６】
ビット１              応答１    応答２
温度センサ２７
スイッチング素子２８  ０          １
スイッチング素子２８  １          ０
スイッチング素子２８
論理積                ０          ０
【００６７】
コントローラ３６はその論理積から判定を行い、この場合の１ビット目に０と１が存在することを判定する。そのため、この場合には１０と１１のＩＤコードのものが存在することが分かる。
【００６８】
次に、ＩＤコード００の存在確定を受けてコントローラ３６は２ビット目の検索コマンド０を送信する。２ビット目の検索時における０に対する応答は以下の如く、温度センサ２７と１番目、３番目のスイッチング素子２８から為される。
【００６９】
ビット２              応答１    応答２
温度センサ２７        １          ０
スイッチング素子２８  １          ０
スイッチング素子２８
スイッチング素子２８  １          ０
論理積                １          ０
【００７０】
コントローラ３６はその論理積から判定を行い、この場合の２ビット目に１のみ存在することを判定する。従って、００１のＩＤコードのものがあることが確定する。
【００７１】
次に、ＩＤコード００１の存在確定を受けてコントローラ３６は３ビット目の検索コマンド１を送信する。３ビット目の検索時における１に対する応答は温度センサ２７と１番目のスイッチング素子２８から為される。
【００７２】
ビット３              応答１    応答２
温度センサ２７        １          ０
スイッチング素子２８  １          ０
スイッチング素子２８
スイッチング素子２８
論理積                １          ０
【００７３】
コントローラ３６はその論理積から判定を行い、この場合の３ビット目に１のみ存在することを判定する。従って、００１１のＩＤコードのものがあることが確定する。
【００７４】
次に、ＩＤコード００１１の存在確定を受けてコントローラ３６は４ビット目の検索コマンド１を送信する。４ビット目の検索時における１に対する応答は温度センサ２７と１番目のスイッチング素子２８から為される。
【００７５】
ビット４              応答１    応答２
温度センサ２７        ０          １
スイッチング素子２８  ０          １
スイッチング素子２８
スイッチング素子２８
論理積                ０          １
【００７６】
コントローラ３６はその論理積から判定を行い、この場合の４ビット目に０のみ存在することを判定する。従って、００１１０のＩＤコードのものがあることが確定する。
【００７７】
次に、ＩＤコード００１１０の存在確定を受けてコントローラ３６は５ビット目の検索コマンド０を送信する。５ビット目の検索時における０に対する応答は全てから為される。
【００７８】
ビット５              応答１    応答２
温度センサ２７        ０          １
スイッチング素子２８  ０          １
スイッチング素子２８  ０          １
スイッチング素子２８  ０          １
論理積                ０          １
【００７９】
コントローラ３６はその論理積から判定を行い、この場合の５ビット目に０のみ存在することを判定する。従って、００１１００のＩＤコードのものがあることが確定する。以後は検索コマンド０のみを６３ビット目まで繰り返せば、００１１００・・・・０、即ち、このＩＤコードの温度センサ２７が接続されていることが確定する。
【００８０】
また、前記１ビット目の検索時における１に対する応答で１ビット目には１と０が存在することから、今度は２ビット目の検索で０と１を送信して同様に絞り込んで行く。そして、最終的に０と１が存在するビットを無くしていけば全てのスイッチング素子２８・・及び温度センサ２７のＩＤコードが確定することになる。
【００８１】
コントローラ３６のＣＰＵ３１はこのようにして収集したＩＤコードにより、温度センサ２７とスイッチング素子２８・・の接続状況を識別し、メモリ３２に保有すると共に、以後はこのＩＤコードを用いて各素子に対してデータを送信することになる。
【００８２】
次ぎに、家屋１におけるセキュリティー動作を説明する。コントローラ３６のＣＰＵ３１は電源基板２６の扉スイッチ２０用のスイッチング素子２８にポーリングを行う。このときの手順（通信プロトコル）を図１０を用いて説明する。コントローラ３６は通信コマンドを送信し、スイッチング素子２８からはＯＫコマンドが返信される。コントローラ３６はスイッチング素子２８の呼び出しコマンドとスイッチング素子２８の前記ＩＤコードを送信する。
【００８３】
そして、扉開閉検知開始コマンドを送信する。スイッチング素子２８のＣＰＵ５８はこのポーリングに応えて前述の如く扉スイッチ２０の接点の開閉状態に基づいて玄関扉４の開閉状態を検知し、開「Ｈ」、閉「Ｌ」のデータをメモリ５９に格納する。次に、コントローラ３６は再び通信開始コマンドを送信し、スイッチング素子２８からはＯＫコマンドが返信される。コントローラ３６はスイッチング素子２８の呼び出しコマンドとスイッチング素子２８の上記ＩＤコードを送信する。
【００８４】
そして、メモリ呼び出しコマンドを送信する。スイッチング素子２８のＣＰＵ５８はこのポーリングに応えて前述の如くメモリ５９に格納した開閉データを返信する。そして、最後にコントローラ３６はリセットコマンドを送信し、スイッチング素子２８からはＯＫコマンドが返信される。
【００８５】
コントローラ３６のＣＰＵ３１はこのようにして収集した開閉データを一旦メモり３２に書き込む。そして、表示器３７に図８に示す如きウィンドウを開き、玄関扉４が開放されて接点が開いたことを表示する。従って、住人や警備員は的確に玄関扉４が開放したことを認知できる。
【００８６】
また、コントローラ３６は玄関扉４が夜間などの通常開かない時間に開放された場合には、警報装置７を動作させる。この場合もコントローラ３６はＯＮ／ＯＦＦデータ（この場合ＯＮデータ）を、警報装置７のスイッチング素子２８のＩＤコードと共に信号線２２に送信する。
【００８７】
警報装置７のスイッチング素子２８のＣＰＵ５８は自らのＩＤコードのＯＮデータを受信すると、それに基づいて前述の如くトランジスタ６３をＯＮする。このトランジスタ６３のＯＮにより、フォトダイオード６９ＡがＯＮ（発光し、それによって、フォトトライアック６９ＢがＯＮされ、これによって、警報装置７が動作（鳴動）される。
【００８８】
係る警報装置７の鳴動によって住人や警備員は玄関扉４が何者かにより開かれたことを迅速に認知でき、泥棒侵入の発生を回避できる。
【００８９】
次ぎに、家屋１における火災報知動作を説明する。コントローラ３６のＣＰＵ３１は温度センサ２７に前述同様に所定周期でポーリングを行う。このポーリングは前述のＩＤコードに基づいて行われる。温度センサ２７のＣＰＵ４３はこのポーリングに応えて前述の如く温度データをコントローラ３６に送信する。コントローラ３６のＣＰＵ３１は受け取った温度データを一旦メモり３２に書き込み、当該温度データと警報温度とを比較し、表示器３７にて所定の警報表示を行い、また、同様に警報装置７を動作（鳴動）させる。
【００９０】
そして、これら泥棒侵入・火災発生時には、コントローラ３６は切換器３９にてバスＩ／Ｏインターフェース３４を通信線４２に接続し、モデムＭにより警備会社に家屋に泥棒侵入や火災が発生していることを通報する。尚、切換器３９は係る通報の終了後、再びバスＩ／Ｏインターフェース３４を信号線２２に接続するものである。
【００９１】
尚、温度センサ２７や各スイッチング素子２８・・に故障が発生していると、当該故障データは各素子のＣＰＵからコントローラ３６に送信される。コントローラ３６のＣＰＵ３１は係る故障データを受け取ると、表示器３７に当該温度センサー２７或いはスイッチング素子２８・・に故障が生じている旨、表示する。更に、切換器３９によりバスＩ／Ｏインターフェース３４を通信線４２に接続し、モデムＭにより警備会社のパソコンＰにその旨報知する。
【００９２】
次ぎに、外部から電話によって家屋１内の各機器を制御する所謂ホームオートメーション動作について説明する。モデムＭと通信線４２を介して外部の電話から所定の暗唱番号などと共に操作データが送信されると、切換器３９はＩ／Ｏインターフェース３４を通信線４２に接続する。そして、電話からの操作データを一旦メモリ３２に格納する。
【００９３】
操作データが空調システム１３及び弁装置８を動作させるものであったとすると、コントローラ３６は切換器３９にてバスＩ／Ｏインターフェース３４を信号線２２に接続し、ＣＰＵ３１は各機器のＯＮ／ＯＦＦデータを、駆動基板２３や電源基板２４の空調システム１３及び弁装置８用のスイッチング素子２８のＩＤコードと共に信号線２２に送信する。
【００９４】
駆動基板２３の空調システム１３用のスイッチング素子２８のＣＰＵ５８は自らのＩＤコードのＯＮ／ＯＦＦデータを受信すると、それに基づいて前述の如くトランジスタ６３をＯＮ／ＯＦＦする。このトランジスタ６３のＯＮ／ＯＦＦにより、フォトダイオード６９ＡがＯＮ（発光）／ＯＦＦ（消灯）し、それによって、フォトトライアック６９ＢがＯＮ／ＯＦＦされ、これによって、空調システム１３が起動される。尚、前記弁装置８も同様の制御によって動作されるものである。
【００９５】
次に、コントロールボックス９から玄関扉４の施錠を行う場合には、スイッチ３８にて施錠を入力すると、コントローラ３６がＯＮ／ＯＦＦデータ（この場合ＯＮデータ）を、施錠装置１６用のスイッチング素子２８のＩＤコードと共に信号線２２に送信する。
【００９６】
施錠装置１６のスイッチング素子２８のＣＰＵ５８は自らのＩＤコードのＯＮデータを受信すると、それに基づいて前述の如くトランジスタ６３をＯＮする。このトランジスタ６３のＯＮにより、フォトダイオード６９ＡがＯＮ（発光し、それによって、フォトトライアック６９ＢがＯＮされ、これによって、施錠装置１６が玄関扉４を施錠する。尚、施錠装置１６の解錠も同様にコントローラ３６からスイッチング素子２８にＯＦＦデータが送信されて実行される。
【００９７】
尚、上記実施例では玄関扉４の開閉を扉スイッチ２０とスイッチング素子２８にて検知するようにしたが、図１では示していない窓の開閉を検知するようにしても良い。
【００９８】
【発明の効果】
以上詳述した如く本発明によれば、検出装置の端末側制御手段は、スイッチのＯＮ−ＯＦＦ状態を取り込んでデータとして記憶手段に書き込み、送受信手段により信号線を介して主制御手段にこのデータを送信するので、主制御手段は支障無く家屋の扉や窓の開閉状態を監視することができる。
【００９９】
この場合、検出装置は記憶手段に自らのＩＤコードを保有しているので、信号線に検出装置を接続することにより主制御手段は検出装置を識別できるようになり、検出装置の配線は完了する。これらにより、所謂プラグインによって検出装置を配線することが可能となり、著しい配線の簡素化を図ることが可能となる。また、検出装置の数などに係わらず主制御手段には共通のソフトウエアを使用することが可能となるので、共通化によるコストの著しい削減を図ることも可能となる。また、蓄電素子を備えており、データが高電位となっている間はそのまま各手段に給電が成され、蓄電素子にも充電され、データが低電位となっている間は蓄電素子からの放電により各手段の電源が賄われるので、信号線を介した給電によって検出装置は支障無く動作できるものである。
【０１００】
請求項２の発明によれば、上記に加えてスイッチング素子の端末側制御手段は、信号線を介して送受信手段により受信した主制御手段からのデータに基づきスイッチング手段を制御するので、主制御手段は支障無く家屋に設置される機器の運転を制御することができる。
【０１０１】
この場合も、スイッチング素子は記憶手段に自らのＩＤコードを保有しているので、信号線にスイッチング素子を接続することにより主制御手段はスイッチング素子を識別できるようになり、スイッチング素子の配線は完了する。これにより、所謂プラグインによってスイッチング素子を配線することが可能となり、著しい配線の簡素化を図ることが可能となる。また、スイッチング素子の数などに係わらず主制御手段には共通のソフトウエアを使用できるので、共通化によるコストの更なる削減を図ることも可能となる。
【０１０２】
請求項３の発明によれば、上記各発明に加えて扉或いは窓の施錠装置を設け、スイッチング素子の端末側制御手段により、信号線を介して送受信手段により受信した主制御手段からのデータに基づき施錠装置を制御するスイッチング手段を制御するようにしたので、主制御手段は支障無く家屋の扉や窓の施錠・解錠を制御することができる。
【０１０３】
この場合も、スイッチング素子は記憶手段に自らのＩＤコードを保有しているので、信号線にスイッチング素子を接続することにより主制御手段はスイッチング素子を識別できるようになり、スイッチング素子の配線は完了する。これにより、所謂プラグインによってスイッチング素子を配線することが可能となり、著しい配線の簡素化を図ることが可能となる。また、スイッチング素子の数などに係わらず主制御手段には共通のソフトウエアを使用できるので、共通化によるコストの更なる削減を図ることも可能となる。
【０１０４】
請求項４の発明によれば、検出装置を構成するスイッチング素子の端末側制御手段を入力モードとした場合には請求項１の如き主制御手段による家屋の扉や窓の開閉状態監視を実現できると共に、出力モードとすれば、信号線を介して送受信手段により受け取った主制御手段からのデータに基づき、スイッチング手段を制御するので、主制御手段は請求項２又は請求項３の如く支障無く家屋の機器や扉や窓の施錠装置の制御を実行することができる。
【０１０５】
即ち、家屋の機器の運転や、扉や窓の施錠装置の制御を行うためのスイッチング素子を、扉や窓の開閉状態監視を行う検出装置として兼用することができるようになり、部品の共通化による更なるコストの削減が達成されるものである。
【０１０６】
請求項５の発明によれば、上記各発明に加えて主制御手段は表示手段を備えており、検出装置からのデータにより扉若しくは窓の開放を検出した場合には、表示手段にその旨の所定の表示を行うようにしたので、住人や警備員などは扉や窓が開放されたことを的確に把握し、泥棒の侵入などの発生を未然に回避することができるようになる。
【０１０７】
請求項６の発明によれば、上記各発明に加えて警報装置を設け、スイッチング素子の端末側制御手段により、信号線を介して送受信手段により受信した主制御手段からのデータに基づき警報装置を制御するスイッチング手段を制御するようにしたので、家屋の主制御手段は支障無く警報装置を制御することができる。
【０１０８】
この場合も、スイッチング素子は記憶手段に自らのＩＤコードを保有しているので、信号線にスイッチング素子を接続することにより主制御手段はスイッチング素子を識別できるようになり、スイッチング素子の配線は完了する。これにより、所謂プラグインによってスイッチング素子を配線することが可能となり、著しい配線の簡素化を図ることが可能となる。また、スイッチング素子の数などに係わらず主制御手段には共通のソフトウエアを使用できるので、共通化によるコストの更なる削減を図ることも可能となる。
【０１０９】
そして、主制御手段は、検出装置からのデータにより、扉や窓の開放を検出した場合には、スイッチング素子により、警報装置を動作させるので、例えば夜間に扉や窓の開閉が行われた場合などに、警報装置にてその旨を住人や警備員に通報することができるようになる。
【図面の簡単な説明】
【図１】  本発明を適用する実施例の家屋の概略透視図である。
【図２】  図１の家屋の管理システムの電気系の配線図である。
【図３】  コントロールボックスの電気回路のブロック図である。
【図４】  温度センサの電気回路のブロック図である。
【図５】  出力モードのスイッチング素子の電気回路のブロック図である。
【図６】  スイッチング素子を用いたスイッチングユニットの電気回路図である。
【図７】  入力モードのスイッチング素子の電気回路のブロック図である。
【図８】  コントローラの表示器に表示される圧力スイッチ用のウインドウを示す図である。
【図９】  コントローラによる各温度センサやスイッチング素子のＩＤコード読み出し手順を示す図である。
【図１０】  コントローラによるスイッチング素子からの玄関扉開閉データ収集手順を示す図である。
【符号の説明】
１  家屋
４  玄関扉
７  警報装置
８  弁装置
９  コントロールボックス
１３  空調システム
１６  施錠装置
２０  扉スイッチ
２２  信号線
２７  温度センサ
２８  スイッチング素子
３１、４３、５８  ＣＰＵ
３２、４４、５９  メモリ
３７  表示器
３９  切換器
４２  通信線
４６、６１  Ｉ／Ｏインターフェース
４８  センサ部
４９、６４  コンデンサ
５１、６６  ダイオード
６３  トランジスタ
６９  フォトカプラ
６９Ａ  フォトダイオード
６９Ｂ  フォトトライアック
Ｍ  モデム
【図１】
0004144962.tif 000002
【図２】
0004144962.tif 000003
【図３】
0004144962.tif 000004
【図４】
0004144962.tif 000005
【図５】
0004144962.tif 000006
【図６】
0004144962.tif 000007
【図７】
0004144962.tif 000008
【図８】
0004144962.tif 000009
【図９】
0004144962.tif 000010
【図１０】
0004144962.tif 000011